(57)【要約】【課題】容易に温度ドリフトを抑制して安定した高精度の測定を行うことができる携帯機器を提供する。【解決手段】センサ３１，３２と、このセンサ３１，３２を収容する筐体２とを備えている測距装置において、センサ３１，３２に使用者の手の熱を伝達させるために、筐体２の一部で構成される把持部４１ａ，４１ｂとセンサ３１，３２との間に熱伝導可能な材料で形成された連結部４１ｃを設けた。【選択図】図２
2008096280.tif 000002
【特許請求の範囲】
【請求項１】
電子素子と、この電子素子を収容する筐体とを備えている携帯機器において、
前記電子素子に使用者の手の熱を伝達させるため、前記筐体の一部で構成される把持部と前記電子素子との間に熱伝導可能な材料で形成された連結部を設けたことを特徴とする携帯機器。
【請求項２】
前記把持部と前記連結部とは熱伝導率の高い材料で形成されていることを特徴とする請求項１記載の携帯機器。
【請求項３】
前記電子機器は角度センサであることを特徴とする請求項１記載の携帯機器。
【請求項４】
前記把持部にタッチセンサが設けられていることを特徴とする請求項１〜３のいずれか１項記載の携帯機器。
【請求項５】
前記電子素子の温度と前記使用者の体温との差が所定範囲を超えたときに、検出結果に誤差があることを前記使用者に警告する警告手段を備えていることを特徴とする請求項１〜４のいずれか１項記載の携帯機器。
【請求項６】
検出した使用者の手の温度に対する前記電子素子の温度補正を行うための温度補正テーブルを備えていることを特徴とする請求項１〜５のいずれか１項記載の携帯機器。
【発明の詳細な説明】
【技術分野】
【０００１】
この発明は携帯機器に関する。
【背景技術】
【０００２】
カメラの手ぶれ検出に使われるジャイロセンサや物体の高さを測る傾斜計に使われる角度センサ等の物体の動きを検出するセンサでは、周囲温度の変化による出力のドリフトによって検出精度が悪化する。
【０００３】
従来、周囲温度の変化に起因するセンサの出力ドリフトを改善するため、予めセンサの温度特性を調べ、その特性に応じた補正量を予めメモリ（補正テーブル）に記憶させ、温度ごとにセンサの出力を補正していた。
【特許文献１】特開２００１−６８９９６号公報
【発明の開示】
【発明が解決しようとする課題】
【０００４】
しかし、広い温度範囲に亘ってセンサの出力を補正するには、周囲の温度変化に対応するために多くのメモリを必要とする。また、近似式による補正では、近似式の誤差により高い検出精度が得られない。
【０００５】
この発明はこのような事情に鑑みてなされたもので、その課題は容易に温度ドリフトを抑制して安定した高精度の検出を行うことができる携帯機器を提供することである。
【課題を解決するための手段】
【０００６】
上記課題を解決するため請求項１記載の発明は、電子素子と、この電子素子を収容する筐体とを備えている携帯機器において、前記電子素子に使用者の手の熱を伝達させるため、前記筐体の一部で構成される把持部と前記電子素子との間に熱伝導可能な材料で形成された連結部を設けたことを特徴とする。
【発明の効果】
【０００７】
この発明によれば、容易に温度ドリフトを抑制して安定した高精度の測定を行うことができる。
【発明を実施するための最良の形態】
【０００８】
以下、この発明の実施の形態を図面に基づいて説明する。
【０００９】
図１はこの発明の一実施形態に係る測距装置の斜視図である。
【００１０】
この測距装置は筐体２と発光側レンズ３ａと受光側レンズ４ａと接眼レンズ２ａと操作ボタン５，６とを備えている。例えば操作ボタン５は電源ボタンであり、操作ボタン６は測定モードを切り替えるモード設定ボタンである。測定モードとは例えば距離の測定か傾斜の測定かを選択するモードである。筐体２内には後述する測角部３０や測距部５０等が収納されている。
【００１１】
この測距装置の筐体２は片方の手（例えば右手）のひらで保持される。
【００１２】
使用者は接眼レンズ２ａを覗きながら電源ボタン５を指で押して図示しない内部表示部（レティクル表示部）を点灯させる。発光側レンズ３ａを目標物に向け、再度電源ボタン５を押して計測を実行する。測定結果は内部表示部（又は図示しない外部表示部）に表示される。
【００１３】
図２は図１のII―II線に沿う断面を示す概念図、図３はこの発明の一実施形態に係る測距装置のブロック図である。なお、図２には接眼レンズ２ａ（図１参照）側から見て右側の半分だけが図示されている。
【００１４】
この測距装置は測角部３０と熱伝達部４０と測距部５０とを備えている。
【００１５】
測角部３０は温度センサ３１と角度センサ３２とを有する。温度センサ３１（例えばサーミスタ等の温度検出素子）、角度センサ３２（例えばエンコーダ、加速度センサ、重力による熱移動量を検出する検出素子）には後述する筐体２の一部をなす把持部４１ａ，４１ｂ、連結部４１ｃを介して使用者の手のひらの熱（図３の点線の矢印参照）が伝達される。把持部４１ａ，４１ｂと連結部４１ｃとで熱伝導部材４１が構成される。
【００１６】
熱伝達部４０は熱伝導部材４１とタッチセンサ４２とを有する。タッチセンサ４２には把持部４１ａ，４１ｂ、連結部４１ｃを介して使用者の手のひらの熱（図３の点線の矢印参照）が伝達される。なお、図２にはタッチセンサ４２は図示されていない。
【００１７】
筐体２は合成樹脂で形成されているが、把持部４１ａ，４１ｂと連結部４１ｃとはヒートシンク等として用いられる熱伝導率の高い材料（アルミニウム、銅等）で形成されている。なお、アルミニウムの熱伝導率は０．５３４ｃａｌ／ｃｍ／ｓｅｃ／℃、銅（純銅）の熱伝導率は０．９３８ｃａｌ／ｃｍ／ｓｅｃ／℃である。
【００１８】
また、把持部４１ａ，４１ｂ以外の部分は外気の影響を受け難くするために熱伝導率の低い材料で形成してもよい。
【００１９】
把持部４１ａ，４１ｂは、使用時、使用者が手で測距装置を把持した際、外気に直接触れないように、その表面積を手のひらで隠れる程度にするのが好ましい。また、把持部４１ａ，４１ｂの位置としては、測距装置を持ったとき、手のひらの上部（指を含む）が常に接触する位置であって、温度センサ３１や角度センサ３２に近いのが好ましい。
【００２０】
連結部４１ｃは電子素子である温度センサ３１、角度センサ３２を介して電子基板３３に接触している。なお、温度センサ３１、角度センサ３２は例えばシリコンラバやシリコングリス３５を介して連結部４１ｃに接触している。なお、シリコンラバの熱伝導率は３．７〜５．４ｃａｌ／ｃｍ／ｓｅｃ／℃である。
【００２１】
本実施の形態では把持部４１ａ，４１ｂ、連結部４１ｃを熱伝導率の高い材料で形成しているが、筐体２の把持部４１ａ，４１ｂと温度センサ３１、角度センサ３２（またはその周辺）とを連結部４１ｃによって連結しているので、手の熱は温度センサ３１、角度センサ３２に伝わり易く、把持部４１ａ，４１ｂ、連結部４１ｃを高い熱伝導率を有する材料で形成することは必須ではない。
【００２２】
タッチセンサ４２は把持部４１ａに設けられている。把持部４１ａに必ず手が触れることを利用したもので、例えば静電容量型のタッチセンサを用いることができる。タッチセンサ４２と電源ボタン５とが押されなければ、測距装置の電源がオンしない構成を採用すれば、例えば測距装置をかばんに入れて移動している途中に何らかの原因によって電源ボタン５が押されてしまったとしても測距装置の電源がオンになることはない。
【００２３】
測距部５０は、ＭＰＵ５１と駆動回路５２と半導体レーザ５３と発光検出回路５４と光検出器５５と増幅器５６と閾値設定回路５７と２値化回路５８とサンプリング回路５９と発振器６０とカウンタ回路６１と積算値格納メモリ６２と補正用テーブルメモリ６３とを有する。
【００２４】
半導体レーザ５３は駆動回路５２によって駆動され、パルス状のレーザ光を所定の回数だけターゲットに向けて出射する。
【００２５】
発光検出回路５４はレーザ光の出射を検出し、検出結果をサンプリング回路５９へ出力する。光検出器５５は図示しないターゲットで反射された光を受光し、受光量に応じた電気信号を出力する。
【００２６】
増幅器５６は光検出器５５の出力を増幅する。
【００２７】
閾値設定回路５７はＭＰＵ５１の出力に基づいてノイズ除去等のための閾値を設定する。
【００２８】
２値化回路５８は閾値設定回路５７で設定された閾値に基づいて光検出器５５の出力を２値化し、サンプリング回路５９へ出力する。
【００２９】
サンプリング回路５９は発振器６０で決められたサンプリング間隔でサンプリングを行う。反射光の強度が所定の閾値を超えるときに距離（又は経過時間）に対応して度数カウントが行われ、繰り返し行われる全てのレーザ光の出射に対する度数を積算して距離に対応させたヒストグラムが作られ、積算値格納メモリ６２へ格納される。
【００３０】
補正用テーブルメモリ６３には予め周囲温度を変化させ、温度特性を調査して作成された補正用テーブルが記憶されている。
【００３１】
ＭＰＵ５１は温度センサ３１で手のひらの温度を検出しながら補正用テーブルメモリ２２を用いて角度補正を行い、距離演算、角度演算、高さ演算等を行う。また、ＭＰＵ５１はセンサ３１の温度と使用者の体温とが所定範囲（補正用テーブルを用いる場合は補正用テーブルの補正範囲であり、補正用テーブルを用いない場合はドリフトによる誤差を許容できる範囲）を超えたときに、検出結果又は計測結果に誤差があることを図示しない表示部（警告手段）に表示させる。
【００３２】
図４は外気温度が２０℃から０℃の環境下に測距装置を移した際の温度センサの温度変化を説明する図である。図４において、縦軸及び横軸はそれぞれ外気温度（℃）及び時間（ｓｅｃ）を示す。また、ａは筐体２の把持部４１ａ，４１ｂに手を触れていた場合の温度変化であり、ｂは筐体２の把持部４１ａ，４１ｂに手を触れていなかった場合の温度変化である。
【００３３】
図４から、筐体２の把持部４１ａ，４１ｂに手を触れていなかった場合の温度変化は１２℃程度であるのに対し、筐体２の把持部４１ａ，４１ｂに手を触れていた場合の温度変化は４℃程度であり、温度センサ３１で検出される手のひらの温度の変化範囲は狭い。
【００３４】
この実施形態によれば、使用者の手のひらの温度を基に狭い温度変化範囲で補正を行うので、容量の小さいメモリを用いた低コストの測距装置であっても温度ドリフトを抑制して安定した高精度の測定を行うことができる。また、従来のように外気温度を基にした温度範囲が広い場合に比べて多くのメモリを必要とせず、生産時の広範囲の温度ドリフト情報の取得が必要なくなる。更に、この実施形態では補正用テーブルを用いたが、本願発明では温度変化が狭い範囲での制御であるので、必ずしも補正用テーブルを用いる必要はない。
【００３５】
なお、上記実施形態では本発明を測距装置に適用した場合で説明したが、これに代えてカメラや携帯電話、望遠鏡等に適用してもよい。
【図面の簡単な説明】
【００３６】
【図１】図１はこの発明の一実施形態に係る測距装置の斜視図である。
【図２】図２は図１のII―II線に沿う断面を示す概念図である。
【図３】図３はこの発明の一実施形態に係る測距装置のブロック図である。
【図４】図４は外気温度が２０℃から０℃の環境下に測距装置を移した際の温度センサの温度変化を説明する図である。
【符号の説明】
【００３７】
２：筐体、３１：温度センサ（電子素子）、３２：角度センサ（電子素子）、４１ａ，４１ｂ：把持部、４１ｃ：連結部、４２：タッチセンサ、６３：補正用テーブルメモリ。
【図１】
2008096280.tif 000003
【図２】
2008096280.tif 000004
【図３】
2008096280.tif 000005
【図４】
2008096280.tif 000006